(57)【特許請求の範囲】
【請求項１】
錘部に釣針を取り付けたジグヘッドをルアー本体に装着したルアーであって、
前記釣針は、前記錘部から独立した動きをすることができ、
前記釣針の動きは、前記ジグヘッドを側面側から見たときに、前記釣針が前記釣針の前記錘部への取付け部の周りを回転する動きであり、
前記釣針の針先は、前記回転により、前記ルアー本体からはみ出す方向に移動可能であり、
前記ルアー本体を側面側から見たときの上下面に、前記ルアー本体の外部に開口したスリットを形成しており、前記上下面のスリットのうち一方のスリットは、前記釣針の先端部を収納しており、他方のスリットから前記釣針の一部をはみ出させており、
前記ルアー本体は、前記錘部を装着する中空部と、前記釣針を貫通させる貫通路とを形成しており、前記ルアー本体のうち少なくとも、前記上下面のスリット、中空部及び前記貫通路を形成した部分を含む範囲は、軟質材料で形成しており、前記上下面のスリットのうち一方のスリットは、前記中空部及び前記貫通路とつながっていることを特徴とするルアー。
【請求項２】
錘部に釣針を取り付けたジグヘッドをルアー本体に装着したルアーであって、
前記釣針は、前記錘部から独立した動きをすることができ、
前記釣針の動きは、前記ジグヘッドを側面側から見たときに、前記釣針が前記釣針の前記錘部への取付け部の周りを回転する動きであり、
前記釣針の針先は、前記回転により、前記ルアー本体からはみ出す方向に移動可能であり、
前記ルアー本体を側面側から見たときの上下面に、前記ルアー本体の外部に開口したスリットを形成しており、前記上下面のスリットのうち一方のスリットは、前記釣針の先端部を収納しており、他方のスリットから前記釣針の一部をはみ出させており、
前記釣針の先端部を収納したスリットの開口の一部が薄肉部で覆われていることを特徴とするルアー。
【請求項３】
前記釣針の針先が前記ルアー本体からはみ出す方向への移動を規制するように、前記ルアー本体に、前記釣針が当接する軟質材料のリブを設けている請求項１又は２に記載のルアー。
【請求項４】
前記釣針の針先が前記ルアー本体の内部に入り込む方向の移動を規制するように、前記錘部に、前記釣針が当接する軸受け部を設けている請求項１〜３のいずれかに記載のルアー。
【請求項５】
前記釣針の針先が前記ルアー本体からはみ出す方向への移動を規制するように、前記ルアー本体に、前記釣針が当接する軟質材料のリブを設けており、
前記釣針の針先が前記ルアー本体の内部に入り込む方向の移動を規制するように、前記錘部に、前記釣針が当接する軸受け部を設けており、
前記釣針の先端部は、前記リブ及び前記軸受け部による前記規制により、前記ルアー本体からはみ出さず、かつ前記ルアー本体表面に近接した位置に位置決めされている請求項１又は２に記載のルアー。
【請求項６】
前記釣針は、さらに前記釣針の一部が、前記リブ及び前記軸受け部による前記規制により、前記ルアー本体からはみ出した位置に位置決めされている請求項５に記載のルアー。
【請求項７】
錘部に釣針を取り付けたジグヘッドをルアー本体に装着したルアーであって、
前記釣針は、前記錘部から独立した動きをすることができ、
前記釣針の動きは、前記ジグヘッドを側面側から見たときに、前記釣針が前記釣針の前記錘部への取付け部の周りを回転する動きであり、
前記釣針の針先は、前記回転により、前記ルアー本体からはみ出す方向に移動可能であり、
前記錘部に、前記釣針の軸を囲むように、環状の弾性部材を設けており、前記弾性部材により、前記釣針の可動範囲を規制していることを特徴とするルアー。
【請求項８】
前記ルアー本体を側面側から見たときの上下面に、前記ルアー本体の外部に開口したスリットを形成しており、前記上下面のスリットのうち一方のスリットは、前記釣針の先端部を収納しており、他方のスリットから前記釣針の一部をはみ出させている請求項７に記載のルアー。
【請求項９】
前記ルアー本体は、前記錘部を装着する中空部と、前記釣針を貫通させる貫通路とを形成しており、前記ルアー本体のうち少なくとも、前記上下面のスリット、中空部及び前記貫通路を形成した部分を含む範囲は、軟質材料で形成しており、前記上下面のスリットのうち一方のスリットは、前記中空部及び前記貫通路とつながっている請求項８に記載のルアー。
【請求項１０】
前記釣針の先端部を収納したスリットの開口の一部が薄肉部で覆われている請求項８に記載のルアー。
【発明の詳細な説明】
【技術分野】
【０００１】
本発明は、魚類の釣り用の、ジグヘッドを装着したルアーに関する。
【背景技術】
【０００２】
従来、魚類の釣りに用いるルアーとして、ソフトベイト（ソフトスイムベイト）と呼ばれるルアーがある。ソフトベイト型のルアーは、魚に似せた軟質材料のルアー本体と釣針とを一体にしたものが一般的である。また、ソフトベイト型のルアーは、ジグヘッドをインサートして固定したものもある。ジグヘッドは、錘と釣針とを一体にしたものである。
【０００３】
例えば、下記特許文献１の図１−５には、ルアー本体にリング状部材を介して釣針を連結したルアーが記載されている。下記特許文献２の図２には、錘に釣針を連結したジグヘッドを装着したルアーが記載されている。下記特許文献３の図１−２には、錘に釣針の一端を埋設したジグヘッドが記載されている。
【０００４】
以下、図面を参照しながら、従来例についてより具体的に説明する。図８は、従来のソフトベイト型のルアーの一例を示す側面図である。ルアー本体１００に、釣糸係止部１０１が設けられている。また、ルアー本体１００から釣針１０２が突出している。さらに、リング１０３を介して、別の釣針１０４が遊動可能に取り付けられている。本図の構成において、ジグヘッドを用いることもできる。この場合は、釣糸係止部１０１と釣り針１０２とがルアー本体１００内部の錘（図示せず）を介して一体になっていることになる。
【０００５】
軟質材料で形成したルアー本体１００は、水中を揺れ動いて魚らしい動きをするので、魚が食い付き易くなる。また、図８の構成では、釣糸係止部１０１がルアー本体１００の上部にあり、水中での姿勢を一定に保ち易い。
【特許文献１】特開２００２−６５１１４号公報
【特許文献２】特開２００２−１３６２４７号公報
【特許文献２】特開２００６−６７８８５号公報
【発明の開示】
【発明が解決しようとする課題】
【０００６】
しかしながら、前記のような従来のルアーは、下記のような問題があった。
（１）ルアー本体から釣針がはみ出しているため、釣針が水中の木、岩、水底等の障害物に引っ掛かり易かった。このため、障害物のある場所、すなわち大型魚が潜んでいる可能性の高い場所へは、正確にルアーを投入することが困難となる場合があった。
（２）釣針はルアー本体に直接固定されているので、ルアー本体全体に動きがあると、この動きは釣針にも直接作用する。したがって、釣針が魚に引っ掛かった後も、魚が暴れると、ルアー本体側の動きが釣針に直接作用し、釣針が外れ易かった。この問題は、ルアー本体が大きい場合や、ジグヘッドを装着した場合には、ルアーの重量が大きくなるので、一層生じ易くなる。
（３）ジグヘッドを装着したルアーでは、ジグヘッドをルアー本体にインサートして固定している。このため、ジグヘッドの着脱ができなかった。したがって、ルアー本体が破損すると、ジグヘッドに破損がなくても、完成品のルアーを新たに購入する必要があった。
【０００７】
本発明は、前記のような従来の問題を解決するものであり、水中の障害物への引っ掛かりを防止し、魚から外れにくいルアーを提供し、あわせてジグヘッドの着脱を可能にしたルアーを提供することを目的とする。
【課題を解決するための手段】
【０００８】
前記目的を達成するために、本発明の第１のルアーは、錘部に釣針を取り付けたジグヘッドをルアー本体に装着したルアーであって、前記釣針は、前記錘部から独立した動きをすることができ、前記釣針の動きは、前記ジグヘッドを側面側から見たときに、前記釣針が前記釣針の前記錘部への取付け部の周りを回転する動きであり、前記釣針の針先は、前記回転により、前記ルアー本体からはみ出す方向に移動可能であり、前記ルアー本体を側面側から見たときの上下面に、前記ルアー本体の外部に開口したスリットを形成しており、前記上下面のスリットのうち一方のスリットは、前記釣針の先端部を収納しており、他方のスリットから前記釣針の一部をはみ出させており、前記ルアー本体は、前記錘部を装着する中空部と、前記釣針を貫通させる貫通路とを形成しており、前記ルアー本体のうち少なくとも、前記上下面のスリット、中空部及び前記貫通路を形成した部分を含む範囲は、軟質材料で形成しており、前記上下面のスリットのうち一方のスリットは、前記中空部及び前記貫通路とつながっていることを特徴とする。
本発明の第２のルアーは、錘部に釣針を取り付けたジグヘッドをルアー本体に装着したルアーであって、前記釣針は、前記錘部から独立した動きをすることができ、前記釣針の動きは、前記ジグヘッドを側面側から見たときに、前記釣針が前記釣針の前記錘部への取付け部の周りを回転する動きであり、前記釣針の針先は、前記回転により、前記ルアー本体からはみ出す方向に移動可能であり、前記ルアー本体を側面側から見たときの上下面に、前記ルアー本体の外部に開口したスリットを形成しており、前記上下面のスリットのうち一方のスリットは、前記釣針の先端部を収納しており、他方のスリットから前記釣針の一部をはみ出させており、前記釣針の先端部を収納したスリットの開口の一部が薄肉部で覆われていることを特徴とする。
本発明の第３のルアーは、錘部に釣針を取り付けたジグヘッドをルアー本体に装着したルアーであって、前記釣針は、前記錘部から独立した動きをすることができ、前記釣針の動きは、前記ジグヘッドを側面側から見たときに、前記釣針が前記釣針の前記錘部への取付け部の周りを回転する動きであり、前記釣針の針先は、前記回転により、前記ルアー本体からはみ出す方向に移動可能であり、前記錘部に、前記釣針の軸を囲むように、環状の弾性部材を設けており、前記弾性部材により、前記釣針の可動範囲を規制していることを特徴とする。
【発明の効果】
【００１０】
本発明によれば、水中の障害物への引っ掛かりを防止し、魚から外れにくすることができるルアーを実現でき、ジグヘッドの着脱も可能にすることができる。
【発明を実施するための最良の形態】
【００１１】
本発明のルアーは、釣針可動型のジグヘッドを装着しているので、釣針の先端部を、ルアー本体内に収納した状態から、ルアー本体からはみ出した状態に変化させることができる。すなわち、魚が食い付くまでは、水中の障害物への引っ掛かりを防止しつつ、魚が食い付いた後は、釣り糸を引っ張ることにより、釣針の先端部をルアー本体からはみ出させて、魚の口に引っ掛けることができる。さらに、可動型の釣針は、引っ掛かり部の動きに追従できるので、釣針が魚から外れにくくなる。
【００１３】
前記本発明の第１及び第２のルアーにおいては、前記釣針の針先が前記ルアー本体からはみ出す方向への移動を規制するように、前記ルアー本体に、前記釣針が当接する軟質材料のリブを設けていることが好ましい。この構成によれば、ルアー本体から釣針の針先がはみ出すことを防止できるとともに、魚が食い付いた後は、釣り糸を引っ張ることにより、リブの弾性に抗して釣針の針先をルアー本体からはみ出させることができる。
【００１４】
また、前記釣針の針先が前記ルアー本体の内部に入り込む方向の移動を規制するように、前記錘部に、前記釣針が当接する軸受け部を設けていることが好ましい。この構成によれば、ルアー本体の内部に釣針の針先が入り込むことを防止できるとともに、魚が食い付いた後は、釣り糸を引っ張ることにより、軸受け部を支点として、釣針を持ち上げることができ、魚の口に引っ掛かり易くなる。
【００１５】
また、前記釣針の針先が前記ルアー本体からはみ出す方向への移動を規制するように、前記ルアー本体に、前記釣針が当接する軟質材料のリブを設けており、前記釣針の針先が前記ルアー本体の内部に入り込む方向の移動を規制するように、前記錘部に、前記釣針が当接する軸受け部を設けており、前記釣針の先端部は、前記リブ及び前記軸受け部による前記規制により、前記ルアー本体からはみ出さず、かつ前記ルアー本体表面に近接した位置に位置決めされていることが好ましい。この構成によれば、前記のようなリブや軸受け部を設けた効果が得られる。さらに、釣針の先端部がルアー本体の表面に近接しているので、釣針が持ち上げられると、釣針の先端部はルアー本体から直ぐはみ出すことになり、釣針は魚の口に引っ掛かり易くなる。
【００１６】
また、前記釣針は、さらに前記釣針の一部が、前記リブ及び前記軸受け部による前記規制により、前記ルアー本体からはみ出した位置に位置決めされていることが好ましい。この構成によれば、はみ出した部分が、魚がルアーに食い付いた際に魚に当たり、釣針の先端部がルアー本体からはみ出し易くなり、釣針が魚の口内に引っ掛かり易くなる。
【００１７】
前記本発明の第３のルアーにおいては、前記錘部に、前記釣針の軸を囲むように、環状の弾性部材を設けており、前記弾性部材により、前記釣針の可動範囲を規制している。この構成によれば、ルアー本体に可動範囲の規制部材を設けなくても、ジグヘッド側で、釣針の可動範囲を規制することができる。
【００１８】
また、前記ルアー本体を側面側から見たときの上下面に、前記ルアー本体の外部に開口したスリットを形成しており、前記上下面のスリットのうち一方のスリットは、前記釣針の先端部を収納しており、他方のスリットから前記釣針の一部をはみ出させていることが好ましい。
【００１９】
また、前記ルアー本体は、前記錘部を装着する中空部と、前記釣針を貫通させる貫通路とを形成しており、前記ルアー本体のうち少なくとも、前記上下面のスリット、中空部及び前記貫通路を形成した部分を含む範囲は、軟質材料で形成しており、前記上下面のスリットのうち一方のスリットは、前記中空部及び前記貫通路とつながっていることが好ましい。この構成によれば、ジグヘッドの着脱が可能になり、ルアー本体が破損しても、ジグヘッドに破損がなければ、ジグヘッドを再利用することができる。
【００２０】
また、前記釣針の先端部を収納したスリットの開口の一部が薄肉部で覆われていることが好ましい。この構成によれば、ルアー本体からの釣針の針先のはみ出しを防止できる効果をより確実にすることができる。
【００２２】
以下、本発明の一実施の形態について、図面を参照しながら説明する。図１は、本発明の一実施の形態に係るルアーの側面図を示している。図２は、図１に示したルアー１の内部を示す側面図である。本図に示したルアー１は、ルアー本体２内に、錘付きの釣針であるジグヘッド３を装着している。ルアー１は、ソフトベイト型のルアーであり、ルアー本体２は、軟質ゴム又は軟質樹脂の軟質材料で形成している。
【００２３】
ジグヘッド３は、錘部４に、釣糸係止部５と釣針６とを取り付けたものである。釣針６は、錘部４に釣針６の端部を中心に回転可能に取り付けられている。このことにより、ジグヘッド３は、釣針６が錘部４から独立した動きをすることができる釣針可動型のジグヘッドを構成している。ジグヘッド３の構造及び動作の詳細については、後に図面を参照しながら説明する。
【００２４】
釣針６は、一端が錘部４への取付け部６ａであり、他端が針先６ｅである。釣針６は、これらの両端の間に、錘部４から延伸した延伸軸部６ｂ、針先６ｅが錘部４側に向くように湾曲した湾曲部６ｃ、針先６ｅを含む先端部６ｄにより構成されている。
【００２５】
釣針６の全体を見ると、延伸軸部６ｂ及び湾曲部６ｃの一部がルアー本体２からはみ出しているが、これ以外の部分は、ルアー本体２内に収まっている。先端部６ｄは、ルアー本体２の背面に近接して配置している。
【００２６】
図３は、ジグヘッド３の斜視図を示している。図４は、図３に示したジグヘッド３の長手方向における断面図である。図３、４に示したように、釣針６の取付け部６ａは、リング状に曲げ加工されている。このリング状部分の内側に、軸７が通っている。このことにより、釣針６は、軸７を中心として矢印ａ、ｂ方向に回転可能である。図４は、釣針６が、矢印ｂ方向に回転し切った状態を示しており、釣針６の延伸軸部６ｂが、軸受け部８に当接している。
【００２７】
次に、図２に示したように、ルアー本体２の内部には、空間を介して順次配置した肋骨状のリブ９を設けている。このリブ９の各端部に、釣針６の延伸軸部６ｂが当接している。リブ９は、ルアー１が木、岩、水底等の障害物に接触したときに加わる外力程度では、釣針６の先端部６ｄが、ルアー本体２からはみ出さないように設定している。このような設定は、リブ９の本数、大きさ等を適宜決定することにより可能である。
【００２８】
したがって、ルアー１は、想定した外力を超える大きな外力が加わらない限り、釣針６の先端部６ｄが、ルアー本体２内に収まった状態が維持される。釣針６の先端部６ｄがルアー本体２からはみ出すような大きな外力としては、魚が食い付いたときの外力、魚が食い付いた状態で、釣糸を意図的に引張ったときに加わる外力を想定している。
【００２９】
一方、前記の通り、錘部４には、釣針６の先端部６ｄがルアー本体２の内部に入り込む方向（図２−４の矢印ｂ方向）の回転を拘束する軸受け部８（図４）を設けている。図２は、図４に示したように、釣針６が軸受け部８に当接した状態で、ジグヘッド３をルアー本体２に取り付けたものである。すなわち、図２の状態は、釣針６が矢印ｂ方向に回転し切った状態であり、釣針６の先端部６ｄがルアー本体２の内部に入り込むことを防いでいる。
【００３０】
このように、図２において、釣針６はリブ９により、矢印ａ方向の回転移動が規制され、錘部４の軸受け部８（図４）により、矢印ｂ方向の回転移動が規制されている。したがって、ルアー１は、水中の障害物に接触しても、姿勢が変化しても、魚が食い付くまでは、図２に示したルアー本体２と釣針６との位置関係は維持される。すなわち、本実施の形態に係るルアー１は、魚が食い付くまでは、釣針６の先端部６ｄがルアー本体２からはみ出したり、ルアー本体２の内部に入り込んだりすることを防止している。このことによる効果は、後に説明する。
【００３１】
図５は、図１に示したルアー１を下面側から見た斜視図（図１のＡ矢視図）を示している。ルアー本体２には、ルアー本体２の外部に開口したスリット１０が形成されており、スリット１０から釣針６の延伸軸部６ｂ及び湾曲部６ｃの一部がはみ出している。詳細は改めて説明するが、このはみ出しにより、魚がルアー１に食い付いた際に、釣針６の先端部６ｄ（図２）がルアー本体２からはみ出し易くなる。
【００３２】
ここで、前記の図２に示したように、ジグヘッド３はルアー本体２内に装着している。このため、ルアー本体２の内部には、図５の破線で示したように、錘部４を包み込む中空部１１と、釣針６を貫通させる貫通路１２とを形成している。
【００３３】
スリット１０は、この中空部１１及び貫通路１２とつながっている。このことにより、スリット１０を押し広げながら、錘部４を中空部１１に収めつつ、釣針６を貫通路１２に貫通させることができる。このようにして、ルアー本体２内にジグヘッド３を装着することができる。
【００３４】
すなわち、この構成によれば、ジグヘッド３の着脱が可能になり、軟質材料であるルアー本体２を弾性変形させながら、スリット１０を入り口として、ジグヘッド３をルアー本体２に内に押し込むようにして装着することができる。逆の手順により、ルアー本体２からジグヘッド３を取り外すこともできる。このような着脱が可能になるのは、前記のようなルアー本体２の構造に加え、釣針６が錘部４から独立して動くことができることも寄与している。
【００３５】
ジグヘッド３の着脱を可能としたことにより、ルアー本体２が破損しても、ジグヘッド３に破損がなければ、ジグヘッド３を再利用することができる。すなわち、破損したルアー本体２からジグヘッド３を取り外し、このジグヘッド３を別途用意した新たなルアー本体２に装着すればよい。この場合、完成品のルアーを新たに購入する必要はなく、ルアー本体のみを購入すればよいことになる。
【００３６】
また、ルアー本体２を成形する際に、ルアー本体２の内部形状に対応した金型が必要になり、成形後はルアー本体２の内部にある金型を引き抜く必要がある。前記の通り、スリット１０は、ルアー本体２内部の中空部１１及び貫通路１２とつながっている。このため、ルアー本体２を弾性変形させながら、金型はスリット１０を出口として引き抜くことができる。
【００３７】
図６（ａ）は、図１に示したルアー１を背面側から見た斜視図（図１のＢ矢視図）を示している。図６（ｂ）は、図６（ａ）のスリット１３近傍の拡大図である。ルアー本体２には、ルアー本体２の外部に開口したスリット１３が形成されている。スリット１３は、貫通路１２とつながっている。貫通路１２を貫通した釣針６の先端部６ｄは、スリット１３内に収まっている。すなわち、釣針６の先端部６ｄは、図２に示したように、ルアー本体２からはみ出さないように、ルアー本体２の内部にある。
【００３８】
図６（ｃ）は、スリット１３近傍の別の例を示している。図６（ｃ）に示したように、スリット１３の一部は、薄肉部１４で覆われている。このことにより、釣針６の先端部６ｄは、ルアー本体２から、はみ出しにくくなっている。前記の通り、ルアー１は水中の障害物に接触しても、釣針６の先端部６ｄがはみ出しにくい構成になっている。薄皮部１４は、この効果をより確実にするために設けたものである。したがって、薄肉部１４は必要に応じて任意に設ければよい。薄肉部１４の厚さは、例えば０．５−１．０ｍｍである。釣針６が魚に引っ掛かる際には、釣針６の先端６ｅは、薄肉部１４を突き破ることになる。
【００３９】
以下、ルアー１の使用時の動作について説明する。図１において、釣糸係止部５に釣糸を取り付けた状態で、ルアー１は水中に投入される。水中に投入された後のルアー１は、水中を走行し、又は漂うことになる。このとき、図２に示したように、釣針６の先端部６ｄは、ルアー本体２の内部にあり、針先６ｅはルアー本体２の背面からはみ出していない。また、前記の通り、本実施の形態に係るルアー１は、ルアー１が水中の障害物に接触しても、釣針６の先端部６ｄがルアー本体２からはみ出すことを防止し、釣針６が障害物に引っ掛かることを防止している。
【００４０】
このことにより、狙った場所への投入の確実性が高まることになり、ルアー１を、木や岩等の障害物のあるところに、あえて積極的に投入することが可能になる。障害物のある場所には、大型魚が潜んでいる可能性が高く、本実施の形態に係るルアー１は、釣り対象を大型魚とする場合に、特に有利になる。
【００４１】
次に、ルアー１に魚が食い付くと、この感触は釣り竿を持つ使用者に伝わることになる。このとき、ルアー１は魚の口内にあるので、自由な動きが拘束されている。また、釣糸係止部５は錘部４から偏心した位置にある。したがって、図２において、使用者が釣糸を矢印ｃ方向に引っ張ると、錘部４には釣針係止部５を中心として、矢印ｄ方向に回転させる力が作用する。
【００４２】
錘部４が矢印ｄ方向に回転すると、釣針６は、図４に示したように、釣針６が錘部４の軸受け部８に当接した状態で、錘部４とともに回転する。この際、軸受け部８が支点となって、てこの原理により、釣針６の先端部６ｄを持ち上げる方向に強い力が発生する。このため、釣針６は、図２のリブ９の弾性に抗しながら持ち上げられ、図１の２点鎖線で示したように、ルアー本体２からはみ出すことになる。
【００４３】
したがって、ルアー１は魚の口内で自由な動きが拘束された状態で、矢印ｃ方向に引っ張られながら、釣針６は矢印ａ方向に持ち上げられることになる。このことにより、釣針６の針先６ｅが、魚の口に突き刺さり、釣針６が魚の口に引っ掛かることになる。
【００４４】
また、魚が食い付く前は、図２に示したように、釣針６の先端部６ｄはルアー本体２の背面に近接している。このことにより、前記のように釣針６が持ち上げられると、釣針６の先端部６ｄはルアー本体２の背面から直ぐはみ出すことになり、釣針６は魚の口に引っ掛かり易くなる。
【００４５】
さらに、図２、５に示したように、スリット１０から釣針６の延伸軸部６ｂ及び湾曲部６ｃの一部がはみ出している。このはみ出した部分が、魚がルアー１に食い付いた際に魚に当たり、釣針６の先端部６ｄがルアー本体２からはみ出し易くなり、釣針６が魚の口内に引っ掛かり易くなる。
【００４６】
釣針６が魚の口に引っ掛かった後においても、魚が暴れると、ルアー１は揺り動かされることになる。この場合、ルアー本体に釣針が固定されている構成（図８参照）であれば、ルアーに魚の口から離れるような動きが生じると、一旦引っ掛かった釣針が抜け易くなる。
【００４７】
しかしながら、本実施の形態に係るジグヘッド３は、前記の通り、釣針６は、ルアー本体２に保持されている錘４から独立して動くことができる。このため、釣針６が魚の口に引っ掛かった状態で、ルアー１が揺り動かされても、釣針６は、図２の矢印ａ、ｂ方向に回転しながら、ルアー本体２の動きとは独立した動きをすることも可能になる。すなわち、釣針６はルアー本体２の動きに追従せず、釣針６の引っ掛かり部の動きに追従するといった動作が生じ得ることになる。したがって、本実施の形態のような釣針可動型のジグヘッド３を備えたルアー１は、釣針６の外れ防止にも有利になる。
【００４８】
図７は、ジグヘッドの釣針の可動範囲を規制する別の例を示す断面図である。図７は図４に比べ、環状の弾性部材１５を装着している点が異なっている。弾性部材１５は、釣針６の軸を囲むように設けている。この構成によれば、矢印ａ方向の回転は、釣針が弾性部材１５に当接することにより規制される。
【００４９】
弾性部材１５の弾性により、釣針６が弾性部材１５に当接した後も、釣針６に加わった外力に応じて、矢印ａ方向に回転可能である。したがって、弾性部材１５は、図２に示したリブ９と同じ役割を果たすことになる。
【００５０】
弾性部材１５として、例えばＯリングが挙げられるが、これに限るものではない。釣針６の軸を囲み、釣針６の矢印ａ方向の回転を規制できればよく、弾性材料の糸状部材を錘部に巻き付けたものでもよい。
【００５１】
以上のように、本実施の形態に係る釣針可動型のジグヘッド３を備えたルアー１は、従来の釣針固定型のジグヘッドの問題点を解決することができる。その一方で、本実施の形態に係る釣針可動型のジグヘッドは、従来の釣針固定型のジグヘッドの利点を何ら損なうことなく維持することができる。この点について、以下説明する。
【００５２】
図２では、ジグヘッド３の錘部４は、ルアー本体２のうち魚の頭部に相当する端部に配置されており、この端部のうち下側に配置されている。この錘部４の配置によれば、ルアー１の重心は、錘部４を取り付ける前の状態と比べると、下側に移動し、ルアー１は低重心となる。図２のルアー１は、水中では頭部が水底側に向くことになるが、釣糸を矢印ｃ方向に引くことにより、低重心であるルアー１は、図２のような水平状態の姿勢を保ちながら、安定して走行することができる。
【００５３】
次に、図２において、釣糸を矢印ｃ方向に引張った場合、釣糸、釣糸係止部の釣糸の結び目（ラインアイ）、針先６ｅがほぼ一直線にあり、かつ釣糸の引張り方向に、針先６ｅが向いていることになる。針先６ｅが図１のようにルアー本体２からはみ出していても、この関係はほぼ同様である。この状態では、引張力が釣針６の貫通方向に伝わり易く、釣針６の貫通性能を高めることができる。
【００５４】
前記の２つの利点は、釣針固定型のジグヘッドを装着したルアーの利点でもあったが、これらの利点は、前記の通り、図２のような釣針可動型のジグヘッドを装着したルアーにおいても損なわれることはない。
【００５５】
なお、前記実施の形態において、釣針６の可動機構は、図４のようにリング状の取付け部６ａに軸７を通した構成にしているが、この構成に限るものではない。例えば、軸７に釣針６を接合し軸７が回転する構成であってもよい。すなわち、釣針６の可動機構は、ジグヘッド３を図４のように側面側から見たときに、釣針６が釣針６の錘部４への取付け部の周りを回転する動きをする構成であればよい。
【００５６】
また、本実施の形態は、ルアー本体２を軟質材料で形成したソフトベイト型のルアーの例で説明したが、ルアー本体に硬質材料を含む場合であっても、釣針可動型のジグヘッド３の機能は発揮可能である。
【００５７】
具体的には、図２において少なくともリブ９を軟質材料で形成していれば、釣針６の可動機能を発揮させることができる。また、図７のように、ジグヘッド３自体で釣針６の可動範囲を規制する構成であれば、リブ９は不要であり、ルアー本体の材料と関係なく、釣針６の可動機能を発揮させることができる。
【００５８】
また、ルアー本体に硬質材料を含む場合であっても、ルアー本体は、ジグヘッド３の脱着機能を発揮させることができる。具体的には、図５、６において、少なくとも、錘部４を収納する中空部１１、釣針を貫通させる貫通路１２、及びスリット１０、１３を形成した部分を含む範囲を軟質材料で形成していれば、ジグヘッド３の脱着機能を発揮し得ることになる。
【００５９】
また、図２は、リブ９に釣針６を当接させた例を示しているが、釣針６とリブ９との間に若干の隙間を設け、釣針６の動きに遊びを持たせた構成であってもよい。
【産業上の利用可能性】
【００６０】
以上のように、本発明によれば、水中への障害物への引っ掛かりを防止し、魚から外れにくいルアーを実現でき、ジグヘッドの着脱も可能にできるので、魚類釣り用のルアーとして有用である。
【図面の簡単な説明】
【００６１】
【図１】本発明の一実施に係るルアーの側面図。
【図２】図１に示したルアー１の内部を示す側面図。
【図３】本発明の一実施に係るジグヘッドの斜視図。
【図４】図３に示したジグヘッド３の長手方向における断面図。
【図５】図１に示したルアー１を下面側から見た斜視図。
【図６】（ａ）図は図１に示したルアー１を背面側から見た斜視図、（ｂ）図は（ａ）図のスリット１３近傍の拡大図、（ｃ）図は、スリット１３近傍の別の例を示す拡大図。
【図７】本発明の一実施に係るジグヘッドの釣針の可動範囲を規制する別の例を示す断面図。
【図８】従来のソフトベイト型のルアーの一例を示す側面図。
【符号の説明】
【００６２】
１  ルアー
２  ルアー本体
３  ジグヘッド
４  錘部
５  釣糸係止部
６  釣針
６ａ  取付け部
６ｂ  延伸軸部
６ｃ  湾曲部
６ｄ  先端部
６ｅ  針先
７  延出部
８  軸受け部
９  リブ
１０，１３  スリット
１１  中空部
１２  貫通路
１４  薄肉部
１５  弾性部材
【図１】
0004906654.tif 000002
【図２】
0004906654.tif 000003
【図３】
0004906654.tif 000004
【図４】
0004906654.tif 000005
【図５】
0004906654.tif 000006
【図６】
0004906654.tif 000007
【図７】
0004906654.tif 000008
【図８】
0004906654.tif 000009